(57)【特許請求の範囲】
【請求項１】
ボックス部（１２）と、このボックス部（１２）に枢動可能に結合された蓋（１３）と、補助領域を有しかつボックス部（１２）に固定されてこのボックス部から突出するカラー（３８）との全体が一体部材のブランクから形成される煙草用ヒンジ蓋付き包装容器であって、
ａ）前記蓋（１３）は、最初に開かれるまでは、蓋の内側タブ（３６）の領域内で、材料ウェブ（４３，４４）を介して、カラー（３８）に結合され、
ｂ）前記内側タブ（３６）は、材料ウェブ（４３，４４）を介してカラー前壁（３９）の上端縁部に結合され、この上端縁部は打抜き線（４５）で形成され、
ｃ）前記打抜き線（４５）は、前記カラー前壁（３９）の側縁領域で、水平方向に向くエッジ脚（６２，６３）を形成し、このエッジ脚（６２，６３）はカラー前壁（３９）の横ウェブ（４９，５０）を区画し、
ｄ）前記材料ウェブ（４３，４４）は、エッジ脚（６２，６３）の領域で、カラー前壁（３９）とカラー側タブ（４０，４１）との間の直立折曲げ線（４２）の直近に配置され、
ｅ）前記カラー側タブ（４０，４１）は、それぞれ凹部（６０，６１）を設けられ、この凹部は横ウェブ（４９，５０）に向き、かつ、打抜き線（４５）により区画され、この打抜き線は、カラー側タブ（４０，４１）に近接する領域で、横方向に向くエッジ脚（６２，６３）の延長部として形成され、横ウェブ（４９，５０）から離隔したカラー側タブ（４０，４１）の領域で、前記エッジ脚に平行に延びる上縁部（５７）として形成される、
ことを特徴とするヒンジ蓋付き包装容器。
【請求項２】
ヒンジ蓋付き包装容器が閉位置にあるときに、前記上縁部（５７）が、蓋（１３）の端壁（２３）の内側から僅かの距離に延在するように、前記材料ウェブ（４３，４４）の領域内における端壁（２３）からの打抜き線（４５）の距離が選定され、カラー側タブ（４０，４１）が形成されかつ寸法を定められていることを特徴とする請求項１に記載のヒンジ蓋付き包装容器。
【請求項３】
エッジ脚（６２，６３）と蓋前壁（２０）の下側蓋縁部（２７）との間の距離は、カラー側タブ（４０，４１）の上縁部（５７）と、蓋前壁（２０）と端壁（２３）との間に延びる折曲げ線（５９）との間の距離の半分以下であることを特徴とする請求項２に記載のヒンジ蓋付き包装容器。
【請求項４】
ボックス部（１２）と蓋部（１３）とカラー（３８）とを形成するための複数の領域を備え、蓋後壁（２１）がボックス後壁（１５）に結合され、端壁（２３）と蓋前壁（２０）と蓋内側タブ（３６）とが蓋後壁（２１）に連続的に結合する、煙草（１０）等を収容するためのヒンジ蓋付き包装容器用ブランクであって、
ａ）前記カラー（３８）は、カラー前壁（３９）とカラー側タブ（４０，４１）と共に、蓋内側タブ（３６）に結合し、
ｂ）前記カラーは、カラー前壁（３９）の領域内で主に横方向に向く打抜き線（４５）により、蓋内側タブ（３６）から分離され、
ｃ）前記打抜き線（４５）は、カラー前壁（３９）内に凹部（４７）を形成し、蓋内側タブ（３６）あるいはカラー前壁（３９）の縁部領域の横方向に向くエッジ脚（６２，６３）まで延び、
ｄ）前記カラー（３８）は、エッジ脚（６２，６３）の領域における２つのそれぞれの材料ウェブ（４３，４４）により、蓋内側タブ（３６）にのみ結合され、
ｅ）前記カラー側タブ（４０，４１）は、それぞれ凹部（６０，６１）を設けられ、この凹部は横ウェブ（４９，５０）に向き、かつ、打抜き線（４５）により区画され、この打抜き線は、カラー側タブ（４０，４１）に近接する領域で、横方向に向くエッジ脚（６２，６３）の延長部として形成され、横ウェブ（４９，５０）から離隔したカラー側タブ（４０，４１）の領域で、前記エッジ脚に平行に延びる上縁部（５７）として形成される、
ことを特徴とするブランク。
【請求項５】
同じ面内で延びる前記材料ウェブ（４３，４４）と前記蓋前壁（２０）の下側蓋縁部（２７）との間の距離は、カラー側タブ（４０，４１）の上側縁部（５７）と、蓋前壁（２０）および端壁（２３）間に設けられた折曲げ線（５９）との間の距離のほぼ半分であることを特徴とする請求項４に記載のブランク。
【発明の詳細な説明】
【０００１】
【産業上の利用分野】
本発明は、（本来的に）一体部材のブランクから形成され、このブランクがボックス部と、このボックス部に枢動可能に結合された蓋と、カラーとを形成し、このカラーはボックス部に固定され、カラー前壁の領域内で残留結合部を介して蓋内側タブに分離可能に結合され、蓋前壁の内側に取付けられる、煙草等のヒンジ蓋付き包装容器に関する。本発明は更に、ヒンジ蓋付き包装容器を製造するためのブランクに関する。
【０００２】
【従来の技術及びその課題】
ヒンジ蓋付き包装容器は、煙草用として国際的にも一般的なパック形式である。これらの包装容器は薄いカードボードで形成される。主ブランクは、（下側の）ボックス部と、このボックス部に枢動可能に結合される蓋とを形成する。これまでは主に別個のブランクから形成されていたカラーが、ボックス部に固定され、上側補助領域をこのボックス部から突出させる。
【０００３】
最近では、元元（ｏｒｉｇｉｎａｌｌｙ）一体の全体ブランクから形成されるヒンジ蓋付き包装容器が提案されており、このブランクにカラーが含まれている。このカラーは、包装材料の狭い残留結合部により、主ブランクに結合されている。この残留結合部は、最初に包装容器を開くときに切断される位置および寸法に形成されている。
【０００４】
本発明は、本来的に一体部材の全体ブランクから形成されるヒンジ蓋付き包装容器に関する。本発明は、特に包装容器を最初に開くときにこの包装容器の取扱いを完全に行うことができ、かつ、全体ブランクの自動処理を問題を生じさせることなく極めて高速で行うことができるように、カラーおよび残留結合部すなわち材料ウェブを形成しかつ配置することを目的としている。
【０００５】
【課題を解決するための手段、作用および効果】
この目的を達成するため、本発明によると、ボックス部と、このボックス部に枢動可能に結合された蓋と、補助領域を有しかつボックス部に固定されてこのボックス部から突出するカラーとの全体が一体部材のブランクから形成される煙草用ヒンジ蓋付き包装容器であって、
ａ）前記蓋は、最初に開かれるまでは、蓋の内側タブの領域内で、材料ウェブを介して、カラーに結合され、
ｂ）前記内側タブは、材料ウェブを介してカラー前壁の上端縁部に結合され、この上端縁部は打抜き線で形成され、
ｃ）前記打抜き線は、前記カラー前壁の側縁領域で、水平方向に向くエッジ脚を形成し、このエッジ脚はカラー前壁の横ウェブを区画し、
ｄ）前記材料ウェブは、エッジ脚の領域で、カラー前壁とカラー側タブとの間の直立折曲げ線の直近に配置され、
ｅ）前記カラー側タブは、それぞれ凹部を設けられ、この凹部は横ウェブに向き、かつ、打抜き線により区画され、この打抜き線は、カラー側タブに近接する領域で、横方向に向くエッジ脚の延長部として形成され、横ウェブから離隔したカラー側タブの領域で、前記エッジ脚に平行に延びる上縁部として形成される、蓋付き包装容器が提供される。
【０００６】
切断すべき材料ウェブの位置は、全体ブランクの一部として、材料を節約したカラーの位置決めを可能とする。材料ウェブは、カラー前壁の領域内に形成される通常の凹部の両側に配置される。分離線あるいは打抜き線は、ブランクの領域内を、カラー前壁の横領域が打抜き線の横方向あるいは水平方向に延びる脚部により区画されるように、延在する。蓋内側タブは、対応する外形形状を形成され、折曲げ前に、舌片を持つカラー前壁の凹部内に入る。
【０００７】
カラー側タブは、凹部を設けられ、この凹部は打抜き線あるいは分離線の延長部であり、完成したヒンジ蓋付き包装容器の前側に面し、最初に包装容器を用いるときに、煙草の引出しをより容易に行うことが可能となる。
【０００８】
本発明の他の特徴は、ブランクの形状、特にカラーおよび蓋の形状に関する。以下、添付図面を参照しつつ本発明の実施例について詳細に説明する。
【０００９】
【実施例】
図示の実施例は、煙草１０用のヒンジ蓋付き包装容器に関する。煙草のグループは、紙あるいは錫箔の内側ブランクに包装され、したがって、煙草ブロック１１として包装容器の内容物を形成する。
【００１０】
図示のヒンジ蓋付き包装容器は、この形式の通常の包装容器と同様に、ボックス部１２と蓋１３とを備える。ボックス部１２は、ボックス前壁１４と、ボックス後壁１５と、狭いボックス側壁１６と、ベース壁１７とを備える。ボックス側壁１６は、互いに重なるボックス側タブ１８，１９から形成され、これらのボックス側タブは接着剤結合により、互いに結合される。これと同様に、蓋１３は、蓋前壁２０と、蓋後壁２１と、蓋側壁２２と、上側端壁２３とを備える。蓋側壁２２は、互いに重なる蓋側タブ２４，２５から形成され、これらの蓋側タブは互いに接着剤で結合される。ボックス部１２と蓋１３とは、ボックス後壁１５および蓋後壁２１の領域で、関節結合線２６に沿って互いに枢動可能に結合されている。
【００１１】
閉位置では、横方向の当接結合部が、前壁の領域でボックス部１２と蓋１３との間に形成されており、この当接結合部は、蓋１３の側で、蓋前壁２０の下側蓋縁部２７により形成され、更に、ボックス前壁１４の領域で、上側縁部２８により形成される。側壁の領域では、傾斜状態で上方に向く当接縁部が、ボックス側タブ１８，１９の傾斜縁部２９，３０と、蓋側タブ２４，２５の対応する傾斜縁部３１，３２とにより、形成される。
【００１２】
ボックス部１２と蓋１３とは、ヒンジ蓋付き包装容器用の主ブランク３３を形成する。この主ブランク３３は、更に、ベースコーナタブ３４と蓋コーナタブ３５とを備える。蓋内側タブ３６は、蓋前壁２０の先端側を結合する。完成したヒンジ蓋付き包装容器では、蓋内側タブ３６は、蓋前壁２０の内側に重ねて折曲げられ、これに結合される。したがって、蓋前壁２０と蓋内側タブ３６とが蓋縁部２７を形成する。
【００１３】
更に、ヒンジ蓋付き包装容器の構成部材として、カラー３８が設けられている。このカラーは、カラー前壁３９とカラー側タブ４０，４１とから形成されている。完成したヒンジ蓋付き包装容器においては、カラー３８は下側領域をボックス部１２に密着され、接着剤結合により、ボックス前壁１４及び／又はボックス側壁１６の内側で、このボックス部に固定される。ボックス部１２から突出するカラー３８の領域は、この包装容器が閉位置にあるときに蓋１３で囲まれている。カラー前壁３９と、カラー側タブ４０，４１とは、折曲げ縁部あるいは折曲げ線４２により、互いに分離されている。この折曲げ線は、ミシン孔（ｐｅｒｆｏｒａｔｉｏｎｓ）で形成される。
【００１４】
カラー３８は、ヒンジ蓋付き包装容器の主ブランク３３と共に一体部材ユニットすなわち全体ブランク（図４）を形成する。このため、カラー３８は材料ウェブ（ｍａｔｅｒｉａｌ  ｗｅｂ）４３，４４を介して主ブランク３３に結合されている。材料ウェブは、包装材料の薄い残留結合部であり、ほぼ１ｍｍの幅を有する。材料ウェブ４３，４４は、主ブランク３３とカラー３８との間の中断部を有する打抜き線４５で形成されている。
【００１５】
カラー３８は、したがって、分離可能な材料ウェブ４３，４４により、蓋内側タブ３６に結合されている。材料ウェブ４３，４４の位置は、完成したヒンジ蓋付き包装容器におけるカラー３８の正確な位置決めに対して特に重要である。このため、打抜き線４５は、その端部で、水平あるいは横方向に向くエッジ脚６２，６３を形成する。２つの材料ウェブ４３，４４は、エッジ脚６２，６３の領域、したがって、ブランクの長手方向延長部に対して横方向に延びるカラー３８および蓋内側タブ３６の近接縁部の領域に配置される。
【００１６】
ヒンジ蓋付き包装容器を製造する場合は、最初に、図４に示すように折曲げられてないブランクのカラー３８を、主ブランク３３に当接するまで、約１８０°にわたって折曲げる。カラー３８は、このカラー３８に対する共通の折曲げ軸線内に載置される材料ウェブ４３，４４の領域内で折曲げられる。このようにして、材料ウェブ４３，４４は、カラー３８と主ブランク３３との間の関節結合部を形成する。
【００１７】
更にブランクを折曲げると、相対位置が予め決められているため、カラーは自動的に好適位置を占め、この位置では、下側の補助領域がボックス部１２に固定され、上側の補助領域がボックス部から突出し、上側カラー縁部４６が露出する。
【００１８】
カラー前壁３９は、通常と同様に、特別な態様に形成され、中央領域に凹部４７が形成され、この凹部は弧状の輪郭により限定される。凹部４７はカラー縁部４６で限定されている。側部、すなわち直立した前部の容器縁部の近部で、カラーはそれぞれ横ウェブ４９，５０を形成する。横ウェブ４９，５０は凹部４７を限定する。
【００１９】
蓋内側タブ３６は、カラー前壁３９に面する縁部５１を有し、この縁部の形状はカラー前壁３９の形状に対応し、これにより、ブランクの各部が互いに確実に組合う。蓋内側タブ３６は、したがって、凹部４７内に突出する舌片４８を形成する。
【００２０】
材料ウェブ４３，４４は、横ウェブ４９，５０の領域内で、蓋内側タブ３６の横縁部５２，５３の直近に配置されている。カラー３８の直立したコーナー縁部が折曲げ線４２で限定され、このコーナー縁部は蓋内側タブ３６から連続して延びる。この領域では、打抜き線４５がブランクの長手方向延長部に対して横方向、したがって、例えば蓋縁部２７と平行に、横方向折曲げ線に平行に延びる。
【００２１】
カラー側タブ４０，４１も、ボックス部１２から突出する。蓋が閉位置にあるときに、カラー側タブ４０，４１の先端側上側縁部５７が端壁２３に当接しないことを確保する必要がある。逆に、ほぼ１ｍｍの距離が必要である。これは、蓋内側タブ３６の横縁部５２，５３の長さしたがって寸法５６が、上側縁部５７と端壁との間の距離の半分を越えないという形状的な相互関係を生じる。図４のブランクに当てはめると、これは寸法５８である。これは、５６≦（１／２）×５８を必要とすることになる。寸法５８は、ここでは、蓋前壁２０と端壁２３との間に形成される折曲げ線５９により限定される。
【００２２】
カラー側タブ４０，４１は、本実施例では特別な外形に形成され、すなわち、凹部６０，６１がヒンジ蓋付き包装容器の前側に面して形成される。これらの凹部は、カラー３８の横ウェブ４９，５０の高さを低くさせる。これは更に、煙草の引出しを特にコーナー領域で簡単にする。これらの凹部６０，６１は、打抜き線４５で限定され、この打抜き線は、材料ウェブ４３，４４の領域内における打抜き線４５の直線連続部として、横方向に向く脚部５４，５５を形成する。脚部５４，５５と材料ウェブ４３，４４とは、共通の横方向線上に配置されている
【図面の簡単な説明】
【図１】閉状態のヒンジ蓋付き包装容器の斜視図である。
【図２】図１のヒンジ蓋付き包装容器の平面ＩＩ−ＩＩに沿う垂直断面図である。
【図３】図１のヒンジ蓋付き包装容器を開いた状態で示す説明図である。
【図４】図１から図３のヒンジ蓋付き包装容器用の開いた状態のブランクの説明図である。
【符号の説明】
１０…煙草、１１…煙草ブロック、１２…ボックス部、１３…蓋、１４…ボックス前壁、１５…ボックス後壁、１６…ボックス側壁、１７…ベース壁、１８，１９…ボックス側タブ、２０…蓋前壁、２１…蓋前壁、２２…蓋側壁、２４，２５…蓋側タブ、２６…関節結合線、２７，２８，２９，３０，３１，３２，５７…縁部、３３…主ブランク、３４，３５…ベースコーナタブ、３６…蓋内側タブ、３８…カラー、４０，４１…カラー側タブ、４３，４４…材料ウェブ、４５…打抜き線、４７，６０，６１…凹部、４９，５０…横ウェブ、５４，５５ー脚部、５９…折曲げ線、６２，６３…エッジ脚。
【図１】
0003585999.tif 000002
【図２】
0003585999.tif 000003
【図３】
0003585999.tif 000004
【図４】
0003585999.tif 000005